(57)【要約】【課題】  施療用のエアバッグを備えたオットマンを回転自在とした場合であっても、エアバッグに給排気を行うエアホースが外れたり破損を生じてしまうことのないマッサージ椅子を提供する。【解決手段】  エアバッグ４０の膨縮により使用者の脚部にマッサージを施すオットマン６を、支持アームを介して椅子本体１に揺動自在に接続させて成るマッサージ椅子において、オットマン６を支持アームに回転自在に接続させるとともに、オットマン６の回転中心となる回転軸１７を筒状に設け、エアバッグ４０への給排気を行うエアホース２９を回転軸１７内に挿通させて設ける。また、オットマン６の回転は所定角度の範囲内に規制しておく。【選択図】        図１
2005237487.tif 000002
【特許請求の範囲】
【請求項１】
エアホースを介して給排気されるエアバッグを備えるとともに該エアバッグの膨縮により使用者の脚部にマッサージを施すオットマンを、支持アームを介して椅子本体に揺動自在に接続させて成るマッサージ椅子において、オットマンを支持アームに回転自在に接続させるとともに、オットマンの回転中心となる回転軸を筒状に設けて該回転軸内にエアホースを挿通させていることを特徴とするマッサージ椅子。
【請求項２】
オットマンの回転を支持アームに対する所定角度内に規制する回転規制部を設けていることを特徴とする請求項１記載のマッサージ椅子。
【請求項３】
オットマンの回転中心となる筒状の回転軸を該オットマンの左右両側に設けるとともに、両側の回転軸にそれぞれエアホースを挿通させていることを特徴とする請求項１又は２記載のマッサージ椅子。
【発明の詳細な説明】
【技術分野】
【０００１】
本発明は、使用者の脚部にマッサージを施すオットマンを備えたマッサージ椅子に関するものである。
【背景技術】
【０００２】
従来から、椅子に座した状態でマッサージ効果を得ることのできるマッサージ椅子が知られている。このマッサージ椅子としては、椅子本体の後側に設けてある背凭れ部等にマッサージ機構を内蔵し、このマッサージ機構により使用者に対して揉みや叩き等のマッサージを施すものが代表的であるが、近年は、椅子本体に脚部マッサージ用のオットマンを接続させたものが多く提案されている（特許文献１参照）。このオットマンは、椅子本体の前端から延設してある支持アームに支持されるものであって、その一面側に設けてある施療用保持部に使用者の脚部を嵌め込んで保持させた状態で、施療用保持部に備えてあるエアバッグの膨縮により脚部を押圧してマッサージを施すようになっている。支持アームは椅子本体に回転自在に接続されており、この支持アームを介してオットマンは椅子本体に前後方向に揺動自在に接続されているので、使用者はオットマンの揺動位置を適宜選択することで自身の脚部を所望の角度で保持させながらマッサージを施すことができる。
【０００３】
上記したような従来のマッサージ椅子においては、支持アームを椅子本体から垂下された状態に位置させた場合であっても、オットマンの脚部保持部が前方に大きく突出してしまうことから足元に十分な空間が確保され難いものであった。これに対して、オットマンの突出部分が邪魔にならない位置にくるように該オットマンを支持アームに対して回転させておくことも考えられるが、この場合には、エアバッグに給排気を行うエアホースがオットマンの回転に伴って周囲の部材に巻き付く等して、エアホースが接続箇所から外れてしまったり破損を生じてしまったりするという問題があった。
【特許文献１】特開平１１−１６９４１７号公報
【発明の開示】
【発明が解決しようとする課題】
【０００４】
本発明は上記問題点に鑑みて発明したものであって、施療用のエアバッグを備えたオットマンを、このエアバッグに給排気を行うエアホースが外れたり破損を生じてしまうことなく回転させることができるマッサージ椅子を提供することを課題とするものである。
【課題を解決するための手段】
【０００５】
上記課題を解決するために本発明を、エアホース２９を介して給排気されるエアバッグ４０を備えるとともに該エアバッグ４０の膨縮により使用者の脚部にマッサージを施すオットマン６を、支持アーム１９を介して椅子本体１に揺動自在に接続させて成るマッサージ椅子において、オットマン６を支持アーム１９に回転自在に接続させるとともに、オットマン６の回転中心となる回転軸１７を筒状に設けて該回転軸１７内にエアホース２９を挿通させていることを特徴としたものとする。
【０００６】
このようにすることで、オットマン６を使用しない場合には該オットマン６が邪魔にならないような角度に回転させて収納しておくことや、オットマン６の角度を適宜変更して多様なマッサージを施すことが可能になるととともに、このようにオットマン６を回転させた際にも、エアバッグ４０に繋がるエアホース２９が周囲の部材に巻き付く等することが防止されるものである。
【０００７】
また、オットマン６の回転を支持アーム１９に対する所定角度内に規制する回転規制部３０を設けていることが好ましく、このようにオットマン６の回転範囲を規制することで、オットマン６の回転によりエアホース２９が大きく捻れて破損を生じることが防止されるものである。
【０００８】
また、オットマン６の回転中心となる筒状の回転軸１７を該オットマン６の左右両側に設けるとともに、両側の回転軸１７にそれぞれエアホース２９を挿通させることも好ましい。このようにして両側の回転軸１７にエアホース２９が挿通される構造にすることで、一方にのみエアホース２９を挿通させる場合と比べて回転軸１７の内径が小さくて済むものである。
【発明の効果】
【０００９】
本発明のマッサージ椅子は、施療用のエアバッグを備えたオットマンを、このエアバッグに給排気を行うエアホースが外れたり破損を生じてしまうことなく回転させることができるという効果を奏する。
【発明を実施するための最良の形態】
【００１０】
以下、本発明を添付図面に示す実施形態に基いて説明する。図２は本発明の実施の形態における一例のマッサージ椅子の斜視図であるが、図示のように、本例のマッサージ椅子は椅子本体１と、この椅子本体１に接続されるオットマン６とで主体を構成している。椅子本体１は、使用者の着座する座部２と、座部２に着座した状態にある使用者が背中を凭れ掛からせる為の背凭れ部３と、同じく座部２に着座した状態の使用者が腕を置く為の肘掛け部４と、上記各部２，３，４を上方に支持する支持脚部５とで形成されており、主として背凭れ部３に内蔵されるマッサージ機構（図示せず）によって着座状態にある使用者の背面に対して揉みや叩き等の各種マッサージを施すようになっている。なお、本文中に用いる前後方向は座部２に着座した状態にある使用者を基準としているので、後側とは座部２に対して背凭れ部３が位置する側のことであり、前側とは座部２に対して背凭れ部３が位置する側と逆側のことである。
【００１１】
オットマン６は、使用者の脚部を保持しながらマッサージを施す施療用保持部７を設けてある保持面１１と、脚部を載せてリラックスした体勢をとるための略平坦な脚載せ面１２とを表裏に有するものである。施療用保持部７は、その中央部分に突設された中央壁部８と、中央壁部８を挟む両外部分に突設された外壁部９とを有し、中央壁部８と両側の外壁部９との間にそれぞれ脚部保持溝１０が形成されるようになっている。中央壁部８や外壁部９の各内側壁には、脚部用の施療手段として例えば図１に示すようなエアバッグ４０を配しており、座部２に座した状態の使用者が自身のふくらはぎを施療用保持部７の脚部保持溝１０にそれぞれ嵌め込み、エアバッグ４０への給排気を行わせることで、該エアバッグ４０の膨縮により施療用保持部７に保持させてある脚部の主としてふくらはぎ部分にマッサージを施すようになっている。なお、保持面１１側に設けられる施療用保持部７としては、本例のようなエアバッグ４０を備えてある脚部保持溝１０内に脚部を嵌め込む構造に限らず、例えばエアバッグ４０を備えてある筒体（図示せず）内に脚部を嵌め込む構造や、エアバッグ４０を備えてあるベルト（図示せず）を使用者の脚部に巻き付けるような構造であってもよく、いずれの構造においてもエアバッグ４０への給排気により脚部にマッサージを施すものである。
【００１２】
オットマン６の内部に設けられるフレーム部２４は、図５等に示してあるように、矩形状に設けてある主フレーム１３と、主フレーム１３の左右両端から前後方向にアーチ状に突設されて外壁部９の骨格を成す突部フレーム１４と、主フレーム１３の上下端を連結させるとともに中央壁部８の背方に位置することとなる中央フレーム１５と、各突部フレーム１４の突先と主フレーム１３の左右端をそれぞれ連結させる支持フレーム１６と、を具備したものである。主フレーム１３の左右両側の支持フレーム１６には、両端が開口した円筒形状を成す回転軸１７を左右方向に延設しており、各回転軸１７がそれぞれ回転軸受１８を介して後述の支持アーム１９に前後方向に回転自在に連結されるようになっている（図７参照）。支持アーム１９は、その一端１９ａ側に設けてある揺動中心部２０を介して椅子本体１の座部２の前端に前後方向に回転自在に接続されるものであって、他端１９ｂ側に開口させてある接続孔２１内に回転軸受１８を配するとともに該回転軸受１８にオットマン６の回転軸１７を回転自在に嵌合させることで、左右一対の支持アーム１９を介してオットマン６を椅子本体１に接続させている。本例においてはこの回転軸１７が反転中心部２３であり、この反転中心部２３を介してオットマン６が支持アーム１９に表裏反転自在に接続されている。なお、図中の２２は補強パイプであり、オットマン６よりも上方にて左右の支持アーム１９を連結させるように配されている。
【００１３】
上記のように、オットマン６を支持する一対の支持アーム１９は、その一端１９ａ側の揺動中心部２０を中心に椅子本体１に対して前後方向に回転自在であるので、支持アーム１９の他端１９ｂ側に接続されるオットマン６は支持アーム１９を介して前後方向に揺動自在となっている。図２（ａ）、図３、図４、図９には、支持アーム１９を椅子本体１の前端から垂下される状態に位置させるとともに、この支持アーム１９に支持されるオットマン６をその保持面１１が前方を向く状態に位置させた場合を示している。この場合において、椅子本体１の座部２に着座した状態にある使用者が自身の下腿部を略垂直に立てた姿勢でオットマン６の施療用保持部７にふくらはぎ部分を嵌め込むことにより脚部マッサージを施すことができるのは上記した通りであるが、脚部マッサージを施す必要がないのであれば、反転中心部２３を中心にオットマン６を反転させて図２（ｂ）に示すように脚載せ面１２が前方を向くようにしておけばよい。
【００１４】
本例のマッサージ椅子においては図９に示すように、支持アーム１９が椅子本体１前端から垂下された状態において反転中心部２３が揺動中心部２０よりも図中の距離Ｄ分だけ後側に位置するように設けるとともに、この反転中心部２３を、保持面１１（又は脚載せ面１２）を前方に向けた際のオットマン６の前後端の間の中心部分よりも脚載せ面１２側に寄せた部分に設け、オットマン６の保持面１１側の前後方向先端（具体的には施療用保持部７の各壁部８，９の突先）と反転中心部２３との距離Ｄ１よりも、オットマン６の脚載せ面１２側の前後方向先端（具体的には脚載せ面１２の中央部分）と反転中心部２３との距離Ｄ２の方が小さくなるように設けているので、保持面１１側を前方に向けた場合には使用者の脚部を確実に保持し得るだけの施療用保持部７の突出量を確保すると同時に、脚載せ面１２側を前方に向けた場合（図９中の破線を参照）には該脚載せ面１２を椅子本体１の座部２前端に対して殆ど前方に突出しないように位置させることができ、使用者の足元空間を確保してオットマン６との接触による不快感を与えることを防止するようになっている。また、仮に使用者のふくらはぎがオットマン６に当っても脚載せ面１２が略平坦であることから不快感を与えることは抑制されるものである。なお、オットマン６の反転が容易となるように設けたい場合には、反転中心部２３を、保持面１１（又は脚載せ面１２）を前方に向けた際のオットマン６の前後端の間の中心部分に設けてあってもよい。
【００１５】
更に、オットマン６の反転中心部２３は、保持面１１（又は脚載せ面１２）を前方に向けた際のオットマン６の上下端の間の中心部分に位置させており、これによって、オットマン６を反転させる為のスペースを大きく設けておかずとも問題無く反転させることができるようになっている。また、反転後にオットマン６の上下端の位置がずれてしまうことが防止されている。
【００１６】
本例のマッサージ椅子においては、既述したようにオットマン６を支持する支持アーム１９をその一端１９ａ側に設けてある揺動中心部２０を介して椅子本体１の前端と回転自在に連結させていることで、支持アーム１９は座部２前端から垂下される状態からその下部が前方上方に向けて移動するように揺動中心部２０を中心に回転可能となっている。したがって、図８（ａ）に示すような垂下状態にある支持アーム１９に支持されてその保持面１１を前方に向けていたオットマン６は、その下部が前方上方に向けて移動するように回転し、図８（ｂ）、（ｃ）に示すように保持面１１が前方上方や上方を向く状態にまで移動することとなる。このようにオットマン６の下部を前方上方に持上げ可能にすることで、使用者は足先を前方に放り出した状態で施療用保持部７に脚部を嵌め込んで脚部マッサージを施すことができ、オットマン６の揺動位置や背凭れ部３の傾斜位置を適宜選択することで使用者に適した姿勢でのマッサージが可能となるものである。
【００１７】
また、図８に示すものと比べてオットマン６を反転させてある場合、つまり支持アーム１９が座部２前端から垂下される状態においてオットマン６の脚載せ面１２が前方を向くようにしてある場合には、支持アーム１９の回転によりその下部を前方上方に持上げた状態にあるオットマン６の、略平坦な脚載せ面１２上にふくらはぎ部分を載せてくつろぐことができる。なお、特に図示はしていないが、オットマン６の脚載せ面１２側にも脚部用の施療手段として例えば施療用の振動発生部やローラ部を内蔵させておくことが好適であり、この場合には、使用者は脚載せ面１２上にふくらはぎ部分を載せるといった比較的自由に脚部を動かすことのできる体勢で脚部マッサージを施すことが可能となる。
【００１８】
オットマン６の揺動位置や背凭れ部３の傾斜位置の変更は、座部２下方に配されるリンク機構２５が使用者のコントローラ操作に基づいて作動することにより行われる。このリンク機構２５は図３に示すようなものであり、伸縮動作により背凭れ部３の傾斜位置を変更させるリフトユニット２６と、オットマン６の揺動位置を変更させるオットマンリンク２７と、背凭れ部３の傾斜位置の変更に応じてオットマンリンク２７を動作させる連動リンク２８とを備えることで、図８に示すように背凭れ部３の傾斜角を大きく（小さく）するとこれに連動してオットマン６を前方上方（後方下方）の揺動位置に移動させるようになっている。
【００１９】
図１に示してあるように、本例のオットマン６においては脚部用の施療手段として、施療用保持部７の脚部保持溝１０の対向する両内側壁の略全面を覆うように設けられたエアバッグ４０（以下、これを４０ａとする）と、各エアバッグ４０ａの内側に列設される複数個のエアバッグ４０（以下、これを４０ｂとする）とを備えている。内側のエアバッグ４０ｂは脚部保持溝１０の長さ方向に列設された小型のものであり、外側のエアバッグ４０ａが膨縮するとともに、この内側の各エアバッグ４０ｂが互いに時期を違えながら膨縮を繰返すことで、ふくらはぎ部分の揉み上げ等の効果が得られるようになっている。上記エアバッグ４０ａ，４０ｂへの給排気はエアホース２９を介して行われるのであるが、このエアホース２９は、その一端側をオットマン６側に備えてあるエアバッグ４０ａ，４０ｂに接続させるとともに、他端側を筒状の回転軸１７内に挿通させてオットマン６の外部に引き出し、椅子本体１側に備えてある給排気部（図示せず）と接続させている。図１（ａ）にはオットマン６の左右両側に設けられた回転軸１７の一方に挿通させたエアホース２９だけを示しているが、他方の回転軸１７にも同様のエアホース２９を挿通することが好適であり、各回転軸１７に挿通されたエアホース２９がそれぞれ近接する側の脚部保持溝１０に配されるエアバッグ４０ａ，４０ｂと接続されるようにすることで回転軸１７の内径が小さくて済み、また、オットマン６の給排気構造全体がコンパクトにまとめられるものである。
【００２０】
加えて、本例のオットマン６においては、図５や図６に示してあるように両側の回転軸１７のリング状を成す外側端面の半部に半円弧状の回転規制部３０を固定させ、オットマン６が略１８０度である所定角度の範囲内を超えて回転しようとすれば支持アーム１９に装着してある回転ストッパ３１が回転規制部３０の一端部に当るように設定している。これにより支持アーム１９に対するオットマン６の回転は所定範囲内に規制され、したがって、オットマン６の回転によりエアホース２９が大きく捻れて破損を生じることが防止されている。
【００２１】
オットマン６はこの１８０度の範囲内において既述したように表裏反転自在となっているのだが、更に本例においては回転軸１７のリング状を成す外側端面の回転規制部３０が固定されていない側の半部に所定間隔を隔てて複数の係止突部３２を設けて、回転規制部３０とこれに隣接する係止突部３２の間、及び、隣接する係止突部３２同士の間にそれぞれ係止溝３３を形成するとともに、回転ストッパ３１の位置を係止溝３３との嵌合によりオットマン６を係止する位置（以下、これを係止位置という）から該嵌合を解除する位置（以下、これを解除位置という）に移動させる解除レバー３４を備えることで、オットマン６をこれが反転する１８０度の範囲内の複数段階の角度において係止可能に設けている。解除レバー３４と回転ストッパ３１とは、解除レバー３４を前方下方（後方上方）に向けて引いた場合に連動して回転ストッパ３１を引き上げる（引き下げる）リンク機構３５により連結されている。回転ストッパ３１は引き上げられることで係止位置から解除位置に移動するものであるが、この解除位置にあっても回転ストッパ３１は回転規制部３０と当ってオットマン６の回転を確実に規制するようになっている。
【００２２】
したがって、解除レバー３４の操作により回転ストッパ３１を引き上げた状態で、例えばオットマン６を図５に示す状態から９０度回転させて、保持面１１が支持アーム１９の揺動中心部２０を設けてある一端１９ａ側を向くように位置させ、この所望の角度に対応する係止溝３３と嵌合するように回転ストッパ３１を引き下げた場合には、使用者は自身の足先部分を足裏側からオットマン６の脚部保持溝１０に嵌め込んで足先マッサージを施すことが可能となる。この際、オットマン６はこの９０度の角度にて確実に固定されるので安定したマッサージが施されることとなる。
【００２３】
上記のような回転規制部３０や回転ストッパ３１から成る回転係止機構は、左右両側の回転軸１７や支持アーム１９に設けておくことが好適である。両側に設けておくことで、一方にのみ回転係止機構が設けてある場合と比べて、オットマン６に腰掛ける等して大きな荷重がかかった場合であっても破損を生じ難くなるからである。なお、回転ストッパ３１については一方の支持アーム１９に設けてある解除レバー３４の操作により両側の回転ストッパ３１が連動して同一方向に移動することが好適であり、このような左右の回転ストッパ３１が連動する機構を設けておくことで、オットマン６の回転操作が容易になるものである。
【００２４】
上記したような本例のマッサージ椅子にあっては、オットマン６を支持アーム１９に回転自在に接続させることで、不使用時にオットマン６を反転させておいて足元スペースを確保することや、オットマン６を９０度回転させて足先マッサージを施すことが可能であるとともに、このようにオットマン６を回転させた際にも、エアバッグ４０ａ，４０ｂ用のエアホース２９が接続箇所から外れることや破損を生じることが防止されるので、信頼性が高いものである。
【図面の簡単な説明】
【００２５】
【図１】本発明の実施の形態における一例のマッサージ椅子のオットマンを示しており、（ａ）は正面図、（ｂ）は側面図、（ｃ）は平面図である。
【図２】同上のマッサージ椅子の斜視図であり、（ａ）はオットマン使用状態、（ｂ）オットマン収納状態を示している。
【図３】同上のマッサージ椅子全体の内部構造を示す側面図である。
【図４】同上のマッサージ椅子全体の内部構造を示す斜視図である。
【図５】同上のマッサージ椅子のオットマンと支持アームの構造を示す斜視図である。
【図６】図５のオットマンを反転させた状態を示す斜視図である。
【図７】同上のマッサージ椅子のオットマンと支持アームの連結部分を示す断面図である。
【図８】同上のマッサージ椅子のクライニング構造を示す説明図であり、（ａ）、（ｂ）、（ｃ）の順にリクライニングの角度が大きくなる様子を示している。
【図９】同上のマッサージ椅子におけるオットマンの反転中心部の位置関係を示す説明図である。
【符号の説明】
【００２６】
１  椅子本体
６  オットマン
１７  回転軸
１９  支持アーム
２９  エアホース
３０  回転規制部
４０  エアバッグ
【図１】
2005237487.tif 000003
【図２】
2005237487.tif 000004
【図３】
2005237487.tif 000005
【図４】
2005237487.tif 000006
【図５】
2005237487.tif 000007
【図６】
2005237487.tif 000008
【図７】
2005237487.tif 000009
【図８】
2005237487.tif 000010
【図９】
2005237487.tif 000011